(57)【特許請求の範囲】
【請求項１】
前方に開口する筺体内に設けられ、上方に開口部を有して収容した食器類を洗浄する洗浄槽と、前記洗浄槽の両側部下方に取り付けられ前記洗浄槽を前後方向に移動可能に支持するスライド機構と、前記スライド機構と前記筺体を固定するレール取付部材とを備え、前記洗浄槽は、少なくとも側面を構成する洗浄槽部材と、有底トレー状に形成されて少なくとも底部を構成する底部構成部材とを一体化して構成され、前記底部構成部材は、前記スライド機構の可動レール部が配置されるとともに、外周上端部にシール部が設けられ、前記洗浄槽部材は、最上部の前記開口部に左右の側壁部より外側に張り出して設けられたフランジ部を有し、前記左右の側壁部は、前記スライド機構が内方に位置するように前記シール部より上部が外方に拡大して形成され、前記レール取付部材は、前記筺体に取り付けた状態で、前記レール取付部材と前記筺体の側壁で形成される断面が箱状になるよう構成され、前記筺体の側壁と前記側壁部との間に前記フランジ部のための幅寸法を確保する食器洗い機。
【請求項２】
前記レール取付部材は、断面を略コの字状に形成し、その側部に、前記筺体に取り付けた状態において内方に突出し前記スライド機構を下方から支持するレール保持部を一体構成で備えた請求項１記載の食器洗い機。
【請求項３】
前記筐体は、前記レール取付部材の取り付け高さ位置を決定するとともに前記レール取付部材を下方から支持するレール取付部材支持部を、左右の側壁から内方に突出させて一体に形成された請求項１または２記載の食器洗い機。
【請求項４】
前記筐体の左右の側壁に、前記レール取付部材を取り付ける上部取付部と下部取付部を内方へ突出させて形成し、前記上部取付部と前記下部取付部とで内方への突出に段差を持たせた請求項１〜３のいずれか１項記載の食器洗い機。
【請求項５】
前記筐体の左右の側壁の前記上部取付部と前記下部取付部との間に、前記上部取付部と前記下部取付部のいずれよりも外方に突出させた外方凸部を設けた請求項４記載の食器洗い機。
【請求項６】
前記洗浄槽は、少なくとも前記洗浄槽の底部を構成する底部構成部材と、前記洗浄槽の少なくとも側面を構成する洗浄槽部材とを備え、前記スライド機構は前記底部構成部材に取り付けられる請求項１〜５のいずれか１項記載の食器洗い機。
【発明の詳細な説明】
【技術分野】
【０００１】
本発明は洗浄ノズルより食器類に向けて洗浄水を噴射して食器類を洗浄するビルトイン型の食器洗い機に関するものである。
【背景技術】
【０００２】
従来、この種の食器洗い機は図６、７のように構成している（例えば、特許文献１参照）。図６、７は、特許文献１に記載された従来の食器洗い機を示すものである。図に示すように、システムキッチンに収容され、前方に開口部を設けた金属製の筺体１の内部に設けた洗浄槽２は、上方に開口部２ａを設け、内部に食器類３を収納する洗浄かご４を配置している。洗浄かご４の下方には洗浄ノズル５を回転自在に設けており、洗浄槽２内に溜めた洗浄水を洗浄ポンプ６によって循環させ、洗浄ノズル５より噴射して食器類３を洗浄する。また、洗浄槽２の下方にはレールなどで構成されるスライド機構７を固定し、前後方向へ平行移動可能に支持されている。
【０００３】
食器類３の出し入れを行う際には、洗浄槽２を筺体１から前方に引き出し、開口部２ａより食器類３の収容をする。次に洗浄槽２を筺体１内に戻し、収納するとともに筺体１内の上部空間に待機していた蓋体８が筺体１内側面に配置したリンク機構９等により後方へ移動しつつ降下して洗浄槽２の開口部２ａを閉塞するように構成している。
【０００４】
金属製の筺体１は、薄肉の圧延鋼板からなり、左右の側壁に段押し加工を施すことで形成したレール保持部１ａによってスライド機構７を介して、食器類３を収容した洗浄槽２を保持する構成としている。
【先行技術文献】
【特許文献】
【０００５】
【特許文献１】特開２００４−１５４２２３号公報
【発明の概要】
【発明が解決しようとする課題】
【０００６】
しかしながら、前記従来の構成では、食器洗い機の大型化にしたがって、収容される食器類の数量が増えることで重量が増加するため、従来と同じ筺体１では、スライド機構７を介して洗浄槽２を支える部分の強度が不足し、洗浄槽２が下方に垂れ下がり、洗浄槽２上方の開口部２ａを蓋体８で閉塞する部分の水密性が低下するおそれ等がある。そのため補強が必要であるが、筺体１の肉厚を上げればコストがかかるという課題を有していた。
【０００７】
また、筺体１の側壁の段押し加工の深さにも限界があり、段押しを深くすることで、加工が困難になったり変形が生じやすくなったりし、外郭構造としての機能を損なうという課題を有していた。
【０００８】
本発明は、上記従来の課題を解決するもので、大型化する食器洗い機の筺体に必要な部分だけ補強し、コストをかけずに強度を確保しつつ、加工を容易にした筐体構造を備えた食器洗い機を提供することを目的とする。
【課題を解決するための手段】
【０００９】
前記従来の課題を解決するために、本発明の食器洗い機は、前方に開口する筺体内に設けられ、上方に開口部を有して収容した食器類を洗浄する洗浄槽と、前記洗浄槽の両側部下方に取り付けられ前記洗浄槽を前後方向に移動可能に支持するスライド機構と、前記スライド機構と前記筺体を固定するレール取付部材とを備え、前記洗浄槽は、少なくとも側面を構成する洗浄槽部材と、有底トレー状に形成されて少なくとも底部を構成する底部構成部材とを一体化して構成され、前記底部構成部材は、前記スライド機構の可動レール部が配置されるとともに、外周上端部にシール部が設けられ、前記洗浄槽部材は、最上部の前記開口部に左右の側壁部より外側に張り出して設けられたフランジ部を有し、前記左右の側壁部は、前記スライド機構が内方に位置するように前記シール部より上部が外方に拡大して形成され、前記レール取付部材は、前記筺体に取り付けた状態で、前記レール取付部材と前記筺体の側壁で形成される断面が箱状になるよう構成され、前記筺体の側壁と前記側壁部との間に前記フランジ部のための幅寸法を確保するものである。
【００１０】
これによって、大型化する食器洗い機の筺体に必要な部分だけ補強し、コストをかけずに強度を確保しつつ、加工を容易にした筐体構造を実現することができる。
【発明の効果】
【００１１】
本発明の食器洗い機は、大型化する食器洗い機の筺体に必要な部分だけ補強し、コストをかけずに強度を確保しつつ、加工を容易にした筐体構造を実現することができる。
【図面の簡単な説明】
【００１２】
【図１】本発明の実施の形態１における食器洗い機の縦断面図
【図２】同食器洗い機の正面断面図
【図３】同食器洗い機の要部の正面断面図
【図４】同食器洗い機と同じ底部構成部材を用いた他の食器洗い機の縦断面図
【図５】同他の食器洗い機の要部の正面断面図
【図６】従来の食器洗い機の縦断面図
【図７】同食器洗い機の正面断面図
【発明を実施するための形態】
【００１３】
第１の発明は、前方に開口する筺体内に設けられ、上方に開口部を有して収容した食器類を洗浄する洗浄槽と、前記洗浄槽の両側部下方に取り付けられ前記洗浄槽を前後方向に移動可能に支持するスライド機構と、前記スライド機構と前記筺体を固定するレール取付部材とを備え、前記洗浄槽は、少なくとも側面を構成する洗浄槽部材と、有底トレー状に形成されて少なくとも底部を構成する底部構成部材とを一体化して構成され、前記底部構成部材は、前記スライド機構の可動レール部が配置されるとともに、外周上端部にシール部が設けられ、前記洗浄槽部材は、最上部の前記開口部に左右の側壁部より外側に張り出して設けられたフランジ部を有し、前記左右の側壁部は、前記スライド機構が内方に位置するように前記シール部より上部が外方に拡大して形成され、前記レール取付部材は、前記筺体に取り付けた状態で、前記レール取付部材と前記筺体の側壁で形成される断面が箱状になるよう構成され、前記筺体の側壁と前記側壁部との間に前記フランジ部のための幅寸法を確保することにより、大型化する食器洗い機の筺体に必要な部分だけ補強し、コストをかけずに強度を確保しつつ、加工を容易にした筐体構造を実現することができる。
【００１４】
第２の発明は、上記第１の発明において、前記レール取付部材は、断面を略コの字状に形成し、その側部に、前記筺体に取り付けた状態において内方に突出し前記スライド機構を下方から支持するレール保持部を一体構成で備えたことにより、食器類を収容した洗浄槽の荷重をネジ固定した筐体側壁への取付部に集中させず、レール保持部と取付部とに分散することができるので、ネジ固定による取付部の構成を簡略化できる。
【００１５】
第３の発明は、上記第１または第２の発明において、前記筐体は、前記レール取付部材の取り付け高さ位置を決定するとともに前記レール取付部材を下方から支持するレール取付部材支持部を、左右の側壁から内方に突出させて一体に形成されたことにより、左右の
スライド機構の高さ位置のばらつきを少なくし洗浄槽の前後方向への移動をスムーズにすることができるとともに、食器類を収容した洗浄槽の荷重によるレール取付部材の下方への変形を抑制することで洗浄槽の下方への垂れ下がりを抑制し、洗浄槽上方の開口部を蓋体で閉塞する部分の水密性を確保することができる。また、食器類を収容した洗浄槽の荷重をレール取付部材支持部と取付部とに分散することができるので、ネジ固定による取付部の構成を簡略化できる。
【００１６】
第４の発明は、上記第１〜第３のいずれかの発明において、前記筐体の左右の側壁に、前記レール取付部材を取り付ける上部取付部と下部取付部を内方へ突出させて形成し、前記上部取付部と前記下部取付部とで内方への突出に段差を持たせたことにより、筐体の側壁のレール取付部材を取り付ける部分を集中的に、かつ、コストをかけずに簡単な加工で効果的に補強することができる。
【００１７】
第５の発明は、上記第４の発明において、前記筐体の左右の側壁の前記上部取付部と前記下部取付部との間に、前記上部取付部と前記下部取付部のいずれよりも外方に突出させた外方凸部を設けたことにより、筐体の側壁のレール取付部材とで断面を箱状に形成する部分を集中的に、かつ、コストをかけずに簡単な加工で補強することができる。
【００１８】
第６の発明は、上記第１〜第５のいずれかの発明において、前記洗浄槽は、少なくとも前記洗浄槽の底部を構成する底部構成部材と、前記洗浄槽の少なくとも側面を構成する洗浄槽部材とを備え、前記スライド機構は前記底部構成部材に取り付けられる構成としたことにより、洗浄槽部材の部分を大型化したり、小型化したりすることで、底部構成部材を単一のものを使用しても、容量の異なる洗浄槽を得ることができるため、洗浄槽容量の異なる食器洗い機の生産に容易に対応することができ、製造効率を向上させることができる。
【００１９】
以下、本発明の実施の形態について、図面を参照しながら説明する。なお、この実施の形態によって本発明が限定されるものではない。
【００２０】
（実施の形態１）
図１〜３は、本発明の第１の実施の形態における食器洗い機を示すものである。図１〜３において、被洗浄物である食器類３を収容し、前方に開口部を設けた金属製の筺体１０の内部に収納される洗浄槽１１は、上方に開口部１１ａを有し、両側部下方に固定されるスライド機構１２により前後方向に移動可能に、筺体１０の左右の内側側壁１０ａに設けられたレール取付部材１３を介して支持されている。スライド機構１２は、レール取付部材１３に固定される固定レール部１２ａと洗浄槽１１に固定される可動レール部１２ｂとの間にあって転動する複数の転動体によって、可動レール部１２ｂが固定レール部１２ａに対して長手方向（食器洗い機に組み込んだ状態で前後方向）に移動可能としている。
【００２１】
食器類３の出し入れを行う際には、洗浄槽１１を筺体１０から前方に引き出し、開口部１１ａより食器類３の収容をする。次に洗浄槽１１を筺体１０内に戻し、収納するとともに、筺体１０内の上部空間に待機していた蓋体１４が筺体１０内側面に配置したリンク機構１５により後方へ移動しつつ降下し、蓋体１４の内面外周に設けたシール部材２３を介して洗浄槽１１の開口部１１ａを水密に閉塞するように構成している。
【００２２】
金属製の筺体１０は、薄肉の圧延鋼板に曲げ加工を施して左右の側壁１０ａおよび底面が一体に形成され、左右の側壁１０ａの同じ高さ位置の複数箇所に段押し加工（より詳しくは上方が開放されたルーバ加工）を施すことで内方に突出させて形成したレール取付部材支持部１０ｂによってスライド機構１２とレール取付部材１３を介して、食器類３を収容した洗浄槽１１を下方から保持する構成とし、従来より幅、高さ共に大きく構成している。
【００２３】
レール取付部材１３は、筺体１０と同じ薄肉の圧延鋼板を曲げ加工等によって加工して断面略コの字状で長尺に形成され、筺体１０の側壁１０ａに取り付けた状態で筺体１０内方に位置する段部１３ａを設けつつ、筺体１０に取り付けた状態で断面が箱状になるよう構成され、段部１３ａの最下部の複数箇所にはスライド機構１２の固定レール部１２ａを下方から支えて保持するレール保持部１３ｂを段押し加工（より詳しくは上方が開放されたルーバ加工）によって内方に突出させて一体構成している。
【００２４】
また、レール取付部材１３は、断面略コの字状の部分の上下に上部フランジ部１３ｃおよび下部フランジ部１３ｄを備え、これらのフランジ部で筺体１０の側壁１０ａに数本のネジにより固定する構成としている。
【００２５】
筺体１０の側壁１０ａの上部フランジ部１３ｃに対向する上部取付部１０ｃと下部フランジ部１３ｄに対向する下部取付部１０ｄとは、それぞれ段押し加工を施して奥行方向ほぼ全長に亘って内方に凹めて形成して側壁１０ａの強度を向上させている。さらに上部取付部１０ｃと下部取付部１０ｄとでは、内方への突出に段差を持たせてある。すなわち、上部取付部１０ｃを下部取付部１０ｄより内側になるようにしてある。これに合わせて、レール取付部材１３は、上部フランジ部１３ｃを下部フランジ部１３ｄより内側になるようにしてある。
【００２６】
また、上部取付部１０ｃと下部取付部１０ｄとの間には、段押し加工を施さないことによって形成される外方凸部１０ｅを設けてある。この外方凸部１０ｅも奥行方向ほぼ全長に亘って外方に突出させて形成してある。
【００２７】
洗浄槽１１は、少なくとも側面を構成する樹脂製の洗浄槽部材１６と、少なくとも底部を構成する樹脂製の底部構成部材１７とで構成されている。底部構成部材１７は有底トレー状に構成され、その外周上端部１７ａには、ゴム等の弾性体によりなるシール部材１８が配置され、シール部材１８を保持するための上方に開口された溝部１７ｂが環状に構成されている。また、底部構成部材１７には、スライド機構１２の可動レール部１２ｂ、洗浄ノズル１９、洗浄ポンプ２０等、食器洗い機の動作制御に必要な電装部品および機構部品の大半を搭載してユニット化されており、大きさを変えた洗浄槽部材を取り付けても、食器洗い機としての機能を有するよう構成している。
【００２８】
洗浄槽部材１６の前後左右の外周下端部１６ａには、シール部材１８を上方から押さえ、底部構成部材１７の溝部１７ｂと共働して水密性を発揮するシールリブ１６ｂがそれぞれ設けられている。底部構成部材１７の外周上端部１７ａと洗浄槽部材１６の外周下端部１６ａとは上下方向で接合され、この接合部には、溝部１７ｂ、シールリブ１６ｂおよびシール部材１８で構成されるシール部２１を設けて、水密にシールしている。また、洗浄槽部材１６の左右の側壁部１６ｃは、シール部２１の上方から幅方向にスライド機構１２の取り付け位置を覆うように下方に延設している。
【００２９】
また、内部に食器類３を収納する洗浄かご２２を、洗浄槽１１内のシール部２１より上方に配置し、洗浄かご２２の下方には洗浄ノズル１９を回転自在に設けており、洗浄槽１１内に溜めた洗浄水を洗浄ポンプ２０によって循環させ、洗浄ノズル１９より噴射して食器類３を洗浄するよう構成してある。
【００３０】
以上のように構成された食器洗い機について、以下その動作、作用を説明する。まず、筐体１０内に洗浄槽１１を前後方向に移動可能に組み付ける方法について説明する。前述したように、レール取付部材１３は、上部フランジ部１３ｃと下部フランジ部１３ｄとで幅方向の段差を持たせてあるので、左右対称の物を一対準備する。このレール取付部材１３に、同じく左右対称の一対のスライド機構１２を、固定レール部１２ａの底面をレール取付部材１３のレール保持部１３ｂの上端面に当接して位置決めをした状態で、固定レール部１２ａの側面をレール取付部材１３の段部１３ａにネジで固定する。
【００３１】
次に、このスライド機構１２を取り付けた左右一対のレール取付部材１３を筐体１０の左右の側壁１０ａに、上部フランジ部１３ｃを上部取付部１０ｃに、下部フランジ部１３ｄを下部取付部１０ｄにそれぞれ複数箇所でネジ固定する。この際、レール取付部材１３の上面の内側面を筐体１０の側壁１０ａに設けたレール取付部材支持部１０ｂの上端面に載置した状態でネジ固定することによって、スライド機構１２の高さ方向の位置決めを行っている。このようにして、左右のスライド機構１２の筐体１０の左右の側壁１０ａへの取り付けは完了する。
【００３２】
一方、洗浄槽１１の組み立ては、以下のように行われる。洗浄槽部材１６をシール部材１８をセットした底部構成部材１７の上方より挿着することで、側壁部１６ｃの下方延設部に設けた係合部１６ｄがそれ自身の弾性にて一時的に変形し、係合孔１６ｅが底部構成部材１７に設けた凸部１７ｃに係合し、上下方向の規制がされ、洗浄槽部材１６と底部構成部材１７とを結合一体化して洗浄槽１１が完成する。その際に、洗浄槽部材１６のシールリブ１６ｂがシール部材１８を上方から押圧して規定の締め位置まで変形させ、シール部２１を形成して接合部を水封している。
【００３３】
このようにして組み立てが完成した洗浄槽１１を、筐体１０に組み付けた左右のスライド機構１２の可動レール部１２ｂ上に載置し、奥行方向の位置決めを行った状態で可動レール部１２ｂにネジ等により固定することによって、洗浄槽１１が筐体１０に対し前後方向に移動可能に支持され固定される。
【００３４】
この状態において、断面略コの字状に形成されたレール取付部材１３と筐体１０の側壁１０ａとで断面を箱状に形成し、さらに、その断面箱状部分の側壁１０ａ部分に外方凸部１０ｅを位置させることによって、筐体１０の側壁１０ａの食器類３を収容した洗浄槽１１の荷重が掛かる部分を限定的かつ集中的に補強し、下方への変形強度を向上させ、洗浄槽１１が下方に垂れ下がることを抑制している。
【００３５】
さて、ビルトイン型の食器洗い機が市場に普及するに従い大型化のニーズが高まっている。これに対応するように食器洗い機は、外郭を大きくするか、洗浄槽１１に収納できる食器類３の容量を増やす必要がある。システムキッチンは、食器洗い機をビルトインするための決められたスペース（例えば、幅４５０、高さ８００）が確保されているため、大型化するに当たって、外郭の幅を最大にし、高さ方向をできるだけ高くする。その中で、洗浄槽１１の幅と、高さを高くすることで、容量を大きくする。
【００３６】
このとき、食器洗い機の外郭を構成する薄肉の圧延鋼板に曲げ加工を施して形成された筺体１０の左右の側壁１０ａは、スライド機構１２を介して食器容量増加分および増加した食器類３の洗浄性能を確保するために必要な洗浄水量と、それに対応するだけの強度が必要になるが、本発明によれば、断面略コの字状に形成されたレール取付部材１３を取り付け、レール取付部材１３と筐体１０の側壁１０ａとで断面を箱状に形成することで、重量を増した洗浄槽１１を支える必要な部分だけ補強することができるため、材料の圧延鋼板の肉厚を厚くするなどのコストをかけずに荷重に対する強度を向上させることができる。
【００３７】
このとき、レール取付部材１３によって、側壁１０ａに対しスライド機構１２が内方に位置していても、洗浄槽１１は、洗浄槽部材１６の左右の側壁部１６ｃをシール部２１の最外周から上方に立ち上げることでシール部２１より上方の内部を拡大し、そこに洗浄かご２２を配置しているため、収容できる食器類３の容量を大きくすることができる。また、筺体１０の側壁１０ａにレール取付部材１３の幅に相当する深い段押し加工を無理に行うことがないため、成型の際にひずみや破損が生じる心配もなく、加工を容易にすることができるとともに、形状寸法の安定した筐体１０を得ることができる。
【００３８】
また、レール取付部材１３は、曲げ加工だけの簡単な工程で形成し、筺体１０の側壁１０ａに取り付けた状態で、断面が箱状になるよう構成されることで、容易に強度を確保できる構造体にすることができる。
【００３９】
また、レール取付部材１３の側部に、筺体１０に取り付けた状態において内方に突出しスライド機構１２を下方から支持するレール保持部１３ｂを備えているので、食器類３を
収容した洗浄槽１１の荷重を、ネジ固定した筐体１０の側壁１０ａへの上部および下部取付部１０ｃ、１０ｄに集中させず、レール保持部１３ｂと上部および下部取付部１０ｃ、１０ｄとに分散することができるので、ネジ固定による取付部の構成を簡略化できる。
【００４０】
また、筐体１０に、レール取付部材１３の取り付け高さ位置を決定するとともにレール取付部材１３を下方から支持するレール取付部材支持部１０ｂを、左右の側壁１０ａから内方に突出させて設けたので、左右のスライド機構１２の高さ位置のばらつきを少なくし洗浄槽１１の前後方向への移動をスムーズにすることができるとともに、食器類３を収容した洗浄槽１１の荷重をレール取付部材支持部１０ｂの上端面で支え、レール取付部材１３の下方への変形を抑制することで洗浄槽１１の下方への垂れ下がりを抑制し、洗浄槽１１上方の開口部１１ａを蓋体１４で閉塞する部分の水密性を確保することができる。また、食器類３を収容した洗浄槽１１の荷重をレール取付部材支持部１０ｂと上部および下部取付部１０ｃ、１０ｄとに分散することができるので、ネジ固定による取付部の構成を簡略化できる。
【００４１】
また、筐体１０の左右の側壁１０ａにそれぞれ内方へ突出させて形成した上部取付部１０ｃと下部取付部１０ｄとで内方への突出に段差を持たせたことにより、筐体１０の側壁１０ａのレール取付部材１３を取り付ける部分を集中的に、かつ、コストをかけずに簡単な加工で効果的に補強することができる。
【００４２】
また、筐体１０の左右の側壁１０ａの上部取付部１０ｃと下部取付部１０ｄとの間に、上部取付部１０ｃと下部取付部１０ｄのいずれよりも外方に突出させた外方凸部１０ｅを設けたので、レール取付部材１３とで断面を箱状に形成する筐体１０の側壁１０ａの部分を集中的に、かつ、コストをかけずに簡単な加工で補強することができる。
【００４３】
なお、左右の側壁１０ａに形成したレール取付部材支持部１０ｂおよびレール取付部材１３の段部１３ａの最下部に形成したレール保持部１３ｂは、いずれも食器洗い機の奥行方向に複数個設けてあるが、奥行方向に長い１個の突出部として形成してもよい。特にレール取付部材支持部１０ｂを奥行方向に長い１個の突出部として形成すれば、上述した食器類３を収容した洗浄槽１１の荷重によるレール取付部材１３上面の下方への変形を抑制する効果を増すことができる。
【００４４】
さらに、本発明の食器洗い機は、洗浄槽１１を洗浄槽部材１６と底部構成部材１７とに分割して構成し、底部構成部材１７を電装部品および機構部品の大半を搭載してユニット化したことにより、洗浄槽部材１６のシール部２１より上方の部分を大型化したり、小型化したりすることで、底部構成部材１７を単一のものを使用しても、容量の異なる洗浄槽を得ることができるため、洗浄槽容量の異なる食器洗い機の生産に容易に対応することができ、製造効率を向上させることができる。
【００４５】
ここで、本実施の形態の食器洗い機のさらなる特徴を、同じ底部構成部材を用いた他の食器洗い機と比較対照して説明する。図４は同じ底部構成部材を用いた他の食器洗い機の縦断面図、図５は同食器洗い機の要部の正面断面図である。なお、底部構成部材１７等の実施の形態１と同じ構成のものは同一符号を付して説明を省略する。
【００４６】
この食器洗い機は、図４に示すように、本実施の形態の食器洗い機より浅型のもので、食器洗い機の下方のシステムキッチン空間にキッチン用品等を収納する引出し２５が設けられる。このような浅型の食器洗い機と本実施の形態のような深型の食器洗い機を機種揃えしておき、システムキッチンのプランニングに際して使用者が好みのものを選択できるようにして、システムキッチンの使い勝手の向上を図っている。
【００４７】
本実施の形態のような深型の食器洗い機は、洗浄槽内に収容できる食器類の量が大きいことを特徴として訴求するものであるので、浅型に較べて、深さが深いのみならず幅寸法も可能な限り広いことが必要とされ、筐体の幅寸法および洗浄槽の幅寸法がいずれも浅型より広く設定される。
【００４８】
具体的には、図３に示したように、洗浄槽部材１６の左右の側壁部１６ｃをシール部２１の最外周から上方に立ち上げ、洗浄槽１１の幅寸法を可能な限り大きくすることにより、洗浄槽１１の内部容積を最大限大きくしてある。そして、使用時には、洗浄槽部材１６の最上部の食器類３を出し入れする開口部１１ａを蓋体１４で閉塞する必要があるが、食器類３の出し入れの利便性と洗浄槽部材１６の樹脂成型の加工性との必要から、蓋体１４がシール部材２３を介して当接し閉塞する部分をフランジ部１６ｆとして側壁部１６ｃより外側に張り出して設ける必要がある（図２参照）。
【００４９】
すなわち、本実施の形態のような深型の食器洗い機に底部構成部材１７を共用するに際しては、このフランジ部１６ｆのための幅寸法を確保しつつ、スライド機構１２の固定レール部１２ａを筐体１０の側壁１０ａに取り付けるための構成が必要となる。
【００５０】
一方、浅型の食器洗い機の場合は、図５に示すように、底部構成部材１７と接合して洗浄槽２９を構成する洗浄槽部材４０は、左右の側壁部４０ａをシール部５４の最内周から上方に立ち上げれば洗浄槽部材４０の最上部の開口部周りに張り出したフランジ部のための幅寸法を確保できるので、スライド機構１２の固定レール部１２ａを筐体２７の側壁２７ａに直接取り付けることができる。なお、溝部１７ｂ、シールリブ４０ｂおよびシール部材１８よりなるシール部５４の構成は、本実施の形態の深型の食器洗い機のシール部２１と同じ構成である。
【００５１】
したがって、本実施の形態におけるレール取付部材１３は、深型の食器洗い機における高さの高い左右の側壁１０ａの必要部分を集中的に補強するのみならず、浅型の食器洗い機と底部構成部材１７を共用するに際し、フランジ部１６ｆのための幅寸法を確保しつつ、スライド機構１２の固定レール部１２ａを筐体１０の側壁１０ａに取り付けるための特徴ある構成として、大きな効果を発揮するものである。
【産業上の利用可能性】
【００５２】
以上のように、本発明にかかる食器洗い機は、大型化する食器洗い機の筺体に必要な部分だけ補強し、コストをかけずに強度を確保しつつ、加工を容易にした筐体構造とすることが可能となるので、洗浄槽を引き出して食器類の出し入れを行うビルトイン型の食器洗い機等として有用である。
【符号の説明】
【００５３】
３  食器類
１０  筺体
１０ａ  側壁
１０ｂ  レール取付部材支持部
１０ｃ  上部取付部
１０ｄ  下部取付部
１０ｅ  外方凸部
１１  洗浄槽
１２  スライド機構
１２ａ  固定レール部
１２ｂ  可動レール部
１３  レール取付部材
１３ａ  段部
１３ｂ  レール保持部
１３ｃ  上部フランジ部
１３ｄ  下部フランジ部
１６  洗浄槽部材
１７  底部構成部材
【図１】
0005445366.tif 000002
【図２】
0005445366.tif 000003
【図３】
0005445366.tif 000004
【図４】
0005445366.tif 000005
【図５】
0005445366.tif 000006
【図６】
0005445366.tif 000007
【図７】
0005445366.tif 000008